(57)【要約】【課題】利用者が望む商品情報を適切に提供する。【解決手段】ウェブとして稼働する商品情報提供システムである。利用者が選択した商品の利用者の選択による任意の視点での３Ｄ画像をウェブ上で提供する３Ｄ画像提供部１０と、該当商品の選択された視点に基づく詳細情報を別途作成する詳細情報作成部１１と、詳細情報作成部１１で作成した詳細情報を利用者に対して出力する詳細情報出力部１２とからなる。利用者は３Ｄ画像を利用して好みの視点位置を選択することができるとともに、この視点位置で作成された詳細情報を入手することができる。【選択図】　図１
2004062457.tif 000002
【特許請求の範囲】
【請求項１】
ウェブとして稼働する商品情報提供システムであって、利用者が選択した商品の利用者の選択による任意の視点での３Ｄ画像をウェブ上で提供する３Ｄ画像提供部と、該当商品の選択された視点に基づく詳細情報を別途作成する詳細情報作成部と、詳細情報作成部で作成した詳細情報を利用者に対して出力する詳細情報出力部とからなることを特徴とする商品情報提供システム。
【請求項２】
詳細情報作成部はその商品についての高精細レンダリング画像を作成するものであることを特徴とする請求項１記載の商品情報提供システム。
【請求項３】
詳細情報作成部はその商品の選択された視点に基づく画像を採用した商品カタログを作成して利用者に出力するものであることを特徴とする請求項１記載の商品情報提供システム。
【請求項４】
詳細情報作成部はその商品の選択された視点に基づく画像を利用者が選択した背景画像に合成した画像を作成するものであることを特徴とする請求項１〜３のいずれかの項に記載の商品情報提供システム。
【発明の詳細な説明】
【０００１】
【発明の属する技術分野】
本発明は商品情報をウェブ上で提供する商品情報提供システムに関するものである。
【０００２】
【従来の技術】
近年、商品情報をウェブ上で提供することが一般的になっているとともに、立体的な商品に関しては、３Ｄ（三次元）表示とすると購入者にとって形状や見栄えがどのようになっているのかの判断が容易となるために、３Ｄ表示機能を付加したものも提供されている。ウェブ上での画像表示に関していえば、現時点ではウェブブラウザーの基本機能に３Ｄ表示機能が含まれておらず、別途補助ソフト（プラグインソフト）を付加することで初めて３Ｄ表示が可能となっているが、ウェブブラウザーに３Ｄ表示機能が当初から含まれるようになれば、３Ｄ表示機能を付加した商品情報提供がますます増えるのは確実である。
【０００３】
【発明が解決しようとする課題】
しかし、現状の通信基盤では大容量のデータの送受に問題があることから、上記３Ｄ表示もデータ量の少ないものしか提供されていないのが現状であり、この点は通信基板の改善を待たねばならない。従って、現状での商品の３Ｄ表示はその解像度が低く、利用者が満足できる情報を提示できるものとはなっていない。また、高精細の商品画像を提供することはデータ量が多くなるために通信速度の点で不満が生じる、現状でも可能である。しかし、予めウェブサーバー側に用意した高精細画像を提供するだけでは、利用者が満足できるものとはならない。違う視点から見た画像が欲しいといった要求を満たすことができないからである。
【０００４】
本発明はこのような点に鑑みなされたものであり、その目的とするところは利用者が望む商品情報を適切に提供することができる商品情報提供システムを提供するにある。
【０００５】
【課題を解決するための手段】
しかして本発明に係る商品情報提供システムは、ウェブとして稼働する商品情報提供システムであって、利用者が選択した商品の利用者の選択による任意の視点での３Ｄ画像をウェブ上で提供する３Ｄ画像提供部と、該当商品の選択された視点に基づく詳細情報を別途作成する詳細情報作成部と、詳細情報作成部で作成した詳細情報を利用者に対して出力する詳細情報出力部とからなることに特徴を有している。
【０００６】
３Ｄ表示によって利用者が選択した任意の視点に基づく詳細情報が別途作成されて利用者に出力されるために、利用者は好みの詳細情報を得ることができる。
【０００７】
この場合、詳細情報作成部はその商品についての高精細レンダリング画像を作成するものを好適に用いることができる。
【０００８】
また、詳細情報作成部はその商品の選択された視点に基づく画像を採用した商品カタログを作成して利用者に出力するものであってもよい。
【０００９】
更に、詳細情報作成部はその商品の選択された視点に基づく画像を利用者が選択した背景画像に合成した画像を作成するものであってもよい。
【００１０】
【発明の実施の形態】
以下本発明を実施の形態の一例に基づいて詳述すると、本発明に係る商品情報提供システムは、インターネットのウェブサーバー１で稼働するプログラムを主体とし、利用者が使用するパーソナルコンピュータ（端末２）上で稼働するウェブブラウザーを用いて上記ウェブサーバー１にアクセスして詳細情報が欲しい商品を選択すれば、ウェブサーバー１側に用意した３Ｄ画像提供部１０がウェブブラウザーに組み込まれたＷｅｂ３Ｄと称されている３Ｄ表示機能を利用して該当商品の３Ｄ表示を利用者の端末２で行うことで商品の情報を提供するものであって、この時、３Ｄ表示機能は、商品の詳細情報に関する指定を行う手段として機能する。また、商品の詳細情報の提供のために、ウェブサーバー１もしくはウェブサーバー１と連携する他のコンピュータ上は該当する商品に関するＣＧ（コンピュータグラフィック）ソフトウェアを詳細情報作成部１１として備えるとともに、作成した詳細情報を利用者に電子的にあるいは郵送で出力する詳細情報出力部１２を備えている。
【００１１】
今、利用者が端末２を用いてウェブブラウザーでウェブサーバー１にアクセスし、詳細情報が欲しい商品を指定したならば、ウェブサーバー１は図３に示すようにその商品の３Ｄ表示を利用者の端末２の画面上に表示させる。つまり、該当商品の三次元データのデータファイル及び端末側の３Ｄ表示のための補助ソフトの起動及び制御を行う３Ｄ関連データがウェブサーバー１から利用者のパーソナルコンピュータにダウンロードされ、該データが端末２側の補助ソフトに引き渡されることで、画面上での上記商品の３Ｄ表示３がなされる。同時に視点位置の切り替えボタン３１、商品の回転とズーム（拡大縮小）のためのボタン３２、視点位置とズームを初期状態に戻すためのリセットボタン３３といった３Ｄ表示を自在に操るためのインターフェース部３０も表示される。このインターフェース部３０を操作することで、商品を見る視点位置を変更したり、商品を回転させたり、拡大縮小を行うことで、様々な角度から商品の形や素材感を確認することができる。
【００１２】
さらに詳しく述べると、使用者が視点切り替えボタン３１を押すと、上記切り替えボタン３１にはそれぞれ変数（たとえば１〜５）を予め割り振っているとともに、３次元データ内にはその変数分だけ視点が設定してあり、切り替えボタン３１が押された際にはそのボタンに割り振られていた変数から３次元データ内の視点を切り替える。使用者が回転もしくはズームのボタン３２を押すと、現在使用されている視点を視点位置変数より判別し、使用者が右回転ボタンを押し下げた場合はたとえば３度／１クリック、左回転ボタンを押し下げた場合はたとえば−３度／１クリック、拡大ズームボタンを押し下げた場合はたとえば０．５ドーリー／１クリック、縮小ズームボタンを押下場合はたとえば−０．５ドーリー／１クリックだけ視点を移動させた画像とする。さらにリセットボタン３３を押したならば、視点位置のみ初期状態に戻す。
【００１３】
３Ｄ画像のデータは、予め複数種の解像度のデータを用意しておき、アクセス者が使用回線（のデータ転送速度）等に応じて選択するデータ容量に応じて、異なる解像度の３Ｄ画像を表示することができるようにしておくのも好ましい。
【００１４】
このほか、時間軸に従った位置、回転、スケール等の設定を可能として、機能部品の動き動きをアニメーションで表現できるようにしたり、３次元空間上に構成品やオプションを表示させるか否かの設定もできるようにして、必要のない構成品は見えないようにすることができるようにしておくことも好ましい。
【００１５】
そして、好みの視点及び回転位置で商品画像を表示させている状態で画面上に表示されている「商品映像発行」のボタン３５を利用者がマウスでクリックすることなどで商品映像発行の指示を行えば、商品番号や現在の視点位置などの情報がウェブサーバ１側に送られ、ウェブサーバー１はこれを受けて上記ＣＧソフトウェア（詳細情報作成部１１）に該当商品に関して予め用意しているデータファイルを読み込ませて、利用者が指定した視点位置（回転位置を含む）での高精細レンダリング画像を生成させる。そして生成したレンダリング画像を詳細情報出力部１２を通じて利用者宛に電子メールなどを用いて出力する。
【００１６】
この結果、利用者は高精細で且つ利用者が望む視点から見た商品の詳細画像を入手することができ、商品の細かい検討のほか、商談資料として用いたり、パッケージ製作等に利用することができる。端末２側から詳細情報についての解像度やデータ形式を指定することができるようにしたり、一部の部品を非可視に設定することができるようにしておくことも好ましい。
【００１７】
商品の詳細情報としては、ＣＧソフトウェアによる商品の高精細画像のほか、指定商品の指定視点位置からの実写画像（デジタルカメラによる撮影画像が好ましい）を提供したり、商品がインテリア系のものであればその商品を利用者が別途選択指定した実写の背景画像に合成した画像を提供したりしてもよく、さらにはスペック値を変更したカタログを出力するようにしてもよい。
【００１８】
また、利用者が一般消費者である場合、３Ｄ表示での商品選択情報をもとにユーザーオリジナルのカタログをウェブサーバー１内で自動作成して、このカタログを利用者に対して出力するようにしたり、３Ｄ表示でのある時間での商品の位置情報ｔ０もしくはカメラの位置情報と、任意なある時間での位置情報ｔ１を設定することによって、ウェブサーバー１が上記情報ｔ０−ｔ１の間を補間したアニメーション動画を作成し、この動画を詳細情報として利用者に対して出力したりするようにしてもよい。
【００１９】
このほか、利用者に対する商品の詳細情報の作成にとどまらず、３Ｄで利用者が設定したカメラアングルを数パターンかの平均値として処理することによって、最も好ましいと追われるカメラアングルの情報を得て、パッケージやカタログの商品写真に利用したり、３Ｄ表示に中に数個の商品や部品を配するとともに、利用者がこれらの配置を自由に決定できるようにしておくことで、その商品同士や部品同士の位置関係をウェブサーバー１に蓄えることで、最も好ましいと思われる配置関係の情報を得たりするようにしてもよい。
【００２０】
【発明の効果】
以上のように本発明に係る商品情報提供システムは、ウェブとして稼働する商品情報提供システムであって、利用者が選択した商品の利用者の選択による任意の視点での３Ｄ画像をウェブ上で提供する３Ｄ画像提供部と、該当商品の選択された視点に基づく詳細情報を別途作成する詳細情報作成部と、詳細情報作成部で作成した詳細情報を利用者に対して出力する詳細情報出力部とからなるために、利用者は３Ｄ画像を利用して好みの視点位置を選択することができるとともに、この視点位置で作成された詳細情報を入手することができる。
【００２１】
この場合、詳細情報作成部はその商品についての高精細レンダリング画像を作成するものや、その商品の選択された視点に基づく画像を採用した商品カタログを作成して利用者に出力するものを好適に用いることができる。
【００２２】
また、詳細情報作成部はその商品の選択された視点に基づく画像を利用者が選択した背景画像に合成した画像を作成するものでああることも好ましい。
【図面の簡単な説明】
【図１】本発明の実施の形態の一例のワークフロー図である。
【図２】同上のブロック図である。
【図３】同上の３Ｄ表示の一例の説明図である。
【符号の説明】
１　ウェブサーバー
２　端末
【図１】
2004062457.tif 000003
【図２】
2004062457.tif 000004
【図３】
2004062457.tif 000005